(57)【要約】【課題】エアミックスドアを組み付けたハウジングの装着がし易くしかもガイドに水が溜まってしまうことのない自動車用空気調和装置を提供する。【解決手段】空調ケース１と、冷却用熱交換器と、加熱用熱交換器と、温風を流す温風通路と、冷風を加熱用熱交換器をバイパスして流す冷風通路と、スライド移動可能に配置され前記温風通路と前記冷風通路との配風比を変化させるエアミックスドア４と、このエアミックスドア４をスライド移動可能に保持するハウジング４１とを備え、エアミックスドア４を組み付けたハウジング４１を空調ケース１の開口２０から挿入して空調ケース１内に装着する自動車用空気調和装置であって、ハウジング４１の挿入の際に、ハウジング４１を装着位置までガイドするとともにハウジング４１の上部と下部を保持する一対のガイドリブ２２を設け、この一対のガイドリブ２２のうち下のガイドリブ２２の上面に凹部２２ａを形成し、この凹部２２ａに溜まる水を排水するための切欠２２Ａを設けた。【選択図】図２
2008105621.tif 000002
【特許請求の範囲】
【請求項１】
空調ケースと、この空調ケース内に導入される空気を冷却する冷却用熱交換器と、この冷却用熱交換器で冷却された冷風を加熱する加熱用熱交換器と、この加熱用熱交換器で加熱された温風を流す温風通路と、前記冷風を加熱用熱交換器をバイパスして流す冷風通路と、前記加熱用熱交換器の前面にスライド移動可能に配置され前記温風通路と前記冷風通路との配風比を変化させるエアミックスドアと、このエアミックスドアをスライド移動可能に保持するハウジングとを備え、前記エアミックスドアを組み付けたハウジングを前記空調ケースの側面に設けた開口から挿入して該空調ケース内に装着する自動車用空気調和装置であって、
前記ハウジングの挿入の際に、該ハウジングを装着位置までガイドするとともに該ハウジングの上部と下部を保持する一対のガイドリブを設け、
この一対のガイドリブのうち下のガイドリブの上面に凹部を形成し、
この凹部に溜まる水を排水するための排水部を下のガイドリブに設けたことを特徴とする自動車用空気調和装置。
【請求項２】
前記下のガイドリブは、前記空調ケースの両側壁に渡って設けられ、両側壁から中央部に向かって下方に傾斜し、その中央部に前記排水部が設けられていることを特徴とする請求項１に記載の自動車用空気調和装置。
【発明の詳細な説明】
【技術分野】
【０００１】
この発明は、空調ケース内に導入された空気を冷却する冷却用熱交換器と、この冷却用熱交換器で冷却された冷風を加熱する加熱用熱交換器と、温風と冷風をミックスするミックスドア等とを備えた自動車用空気調和装置に関する。
【背景技術】
【０００２】
従来から、ミックスドアをスライド移動させて温風と冷風の配風比を変化させるようにした自動車用空気調和装置が知られている（特許文献１参照）。
【０００３】
かかる自動車用空気調和装置は、空調ケースと、この空調ケース内に導入された空気を冷却する冷却用熱交換器と、この冷却用熱交換器で冷却された冷風を加熱する加熱用熱交換器と、この加熱用熱交換器で加熱された温風を流す温風通路と、前記冷風を加熱用熱交換器をバイパスして流す冷風通路と、前記加熱用熱交換器の前面にスライド移動可能に配置され前記温風通路と前記冷風通路との配風比を変化させるエアミックスドア等とを備えている。
【０００４】
エアミックスドアは、空調ケースに取り付けられたハウジングにスライド移動可能に保持されている。
【０００５】
エアミックスドアを組み付けたハウジングは、空調ケースの側面に設けた開口から挿入して該空調ケース内に装着するようになっている。
【特許文献１】特開２００１−１５８２１８号公報
【発明の開示】
【発明が解決しようとする課題】
【０００６】
ところで、このような自動車用空気調和装置にあっては、空調ケースの側面の開口からハウジングの挿入がし易いように空調ケース内にガイドを設けている。しかし、冷却用熱交換器の近傍にエアミックスドアが位置するため、このエアミックスドアに結露が生じ、この結露した水がガイドに溜まってしまうという問題がある。
【０００７】
この発明の目的は、エアミックスドアを組み付けたハウジングの装着がし易くしかもガイドに水が溜まってしまうことのない自動車用空気調和装置を提供することにある。
【課題を解決するための手段】
【０００８】
この発明は、空調ケースと、この空調ケース内に導入される空気を冷却する冷却用熱交換器と、この冷却用熱交換器で冷却された冷風を加熱する加熱用熱交換器と、この加熱用熱交換器で加熱された温風を流す温風通路と、前記冷風を加熱用熱交換器をバイパスして流す冷風通路と、前記加熱用熱交換器の前面にスライド移動可能に配置され前記温風通路と前記冷風通路との配風比を変化させるエアミックスドアと、このエアミックスドアをスライド移動可能に保持するハウジングとを備え、前記エアミックスドアを組み付けたハウジングを前記空調ケースの側面に設けた開口から挿入して該空調ケース内に装着する自動車用空気調和装置であって、
前記ハウジングの挿入の際に、該ハウジングを装着位置までガイドするとともに該ハウジングの上部と下部を保持する一対のガイドリブを設け、
この一対のガイドリブのうち下のガイドリブの上面に凹部を形成し、
この凹部に溜まる水を排水するための排水部を下のガイドリブに設けたことを特徴とする。
【発明の効果】
【０００９】
この発明によれば、エアミックスドアを組み付けたハウジングの装着がし易くしかもガイドリブに水が溜まってしまうことがない。
【発明を実施するための最良の形態】
【００１０】
以下、この発明に係る車両用空気調和装置の実施の形態である実施例を図面に基づいて説明する。
【実施例】
【００１１】
図１に示す車両用空気調和装置である空調ユニットA/Uは、空調ケース１と、クリーンフィルタ２と、エバポレータ３（冷却用熱交換器）と、エアミックスドア４と、ヒータコア５（加熱用熱交換器）と、冷風バイパス通路（冷風通路）６と、温風通路７と、エアミックスチャンバー８と、フロントベントドア９と、デフドア１０と、配風量調整ブレード１２と、温度調整ブレード１３と、フロントベント吹き出し口１４と、デフ吹き出し口１５と、リアベント吹き出し口１６とを備えている。
【００１２】
空調ユニットA/Uは、空調ケース１内に上流の送風機（図示を省略）側から下流の吹き出し口側に向かって順に、エバポレータ３、エアミックスドアユニット４０、ヒータコア５を配置している。
【００１３】
エバポレータ３は、図外の送風機及びクリーンフィルタ２を介して通過する内気または外気を冷却する熱交換器である。このエバポレータ３は、冷媒を循環する冷凍サイクルの構成要素の一つであり、冷媒入口と冷媒出口を有する。
【００１４】
エアミックスドアユニット４０のエアミックスドア４は、エバポレータ３の後流位置に配置され、エバポレータ３を経過した冷風と、ヒータコア５を経過した温風との混合割合をドア開度により制御する。
【００１５】
エアミックスドア４は、スライド式ドアを採用し、ドア位置が図１の上端位置のときがフルホットであり、ドア位置が図１の下端位置のときがフルクールであり、上端位置と下端位置の中間のいずれかの位置に制御することで、冷風と温風の混合割合が変更される。
【００１６】
ヒータコア５は、エバポレータ３及びエアミックスドア４の下流位置に配置され、通過する風を暖める熱交換器である。このヒータコア５には、エンジン冷却水が導入され、図示しないエンジン冷却水入口とエンジン冷却水出口を有する。
【００１７】
また空調ユニットA/Uは、冷風と温風を混合するエアミックスチャンバー８を介して分岐されるリアベント吹き出し通路１８を備えている。
【００１８】
そして、リアベント吹き出し通路１８に、エアミックスチャンバー８からの配風量を調整する配風量調整ブレード１２を設けている。
【００１９】
空調ケース１は、縦方向に２分割した一対のケース部材を合わせて構成したものであり、この一対のケース部材を合わせることにより冷風バイパス通路６や温風通路７やリアベント吹き出し通路１８が形成されている。１９は空調ケース１の底壁部１Ｄに設けたドレイン穴である。
【００２０】
空調ケース１の側壁１ａには、図２に示すようにエアミックスドアユニット４０を挿入する開口２０が形成されている。また、空調ケース１の側壁１ａと側壁１ｂとに渡って開口２０を上下から挟み込む位置に一対のガイドリブ２１,２２が設けられている。
【００２１】
ガイドリブ２１は、エバポレータ３の上部を保持する保持壁部３０に連続形成されている。
【００２２】
ガイドリブ２１の下面には、湾曲した凹部２１ａが長手方向に沿って形成されており、この凹部２１ａにエアミックスドアユニット４０の上部が図４に示すようにスライド移動可能に係合するようになっている。
【００２３】
ガイドリブ２２は、エバポレータ３とヒータコア５との間の仕切壁３１に連続形成されている。
【００２４】
ガイドリブ２２の上面には、湾曲した凹部２２ａが長手方向に沿って形成されており、この凹部２２ａにエアミックスドアユニット４０の下部が図４に示すようにスライド移動可能に係合するようになっている。
【００２５】
また、ガイドリブ２２の中央部には、図２および図３に示すように排水部である切欠２２Ａが形成されている。ガイドリブ２２は、空調ケース１のケース部材の合わせ面の位置１Ｍが最下方位置となるように傾斜している。
【００２６】
エアミックスドアユニット４０は、図４および図５に示すように、湾曲するとともに２つの開口４２,４２を形成した後壁部４３を有するハウジング４１と、開口４２,４２の前面に配置されるとともに上下方向にスライド移動可能に取り付けられたエアミックスドア４,４と、このエアミックスドア４,４を上下方向にスライド移動させる駆動機構６０とを備えている。
【００２７】
ハウジング４１は、図５に示すように、上壁部４１Ａと下壁部４１Ｂと両側壁部４１Ｃ,４１Ｄと中央壁部４２とを有している。側壁部４１Ｃ,４１Ｄおよび中央壁部４２の両側面には図４に示すように円弧状のガイド溝Ｇ１,Ｇ２が形成されている。
【００２８】
エアミックスドア４,４は、後壁部４３の湾曲に沿って湾曲しており、その両側端に設けた案内ローラ４５,４６を有している。この案内ローラ４５,４６がガイド溝Ｇ１,Ｇ２内に回転自在に挿入されており、このガイド溝Ｇ１,Ｇ２に沿ってエアミックスドア４,４はスライド移動するようになっている。また、各エアミックスドア４の両側にはラック４７,４８が形成されている。
【００２９】
ラック４７,４８には歯車４９,５０が噛合しており、この歯車４９,５０の回転によってエアミックスドア４が上下にスライド移動する。
【００３０】
歯車４９,５０は軸５１の両側に装着されており、軸５１の両端部が側壁部４１Ｃ,４１Ｄと中央壁部４２とに回転自在に取り付けられており、軸５１の一端部が側壁部４１Ｃ,４１Ｄを貫通し、その一端部に駆動ギア５２が装着されている。この駆動ギア５２は図示しないギアを介してモータ（図示せず）によって回転されるようになっている。
【００３１】
そして、ラック４７,４８と歯車４９,５０と駆動ギア５２と図示しないモータなどとで駆動機構６０が構成されている。
【００３２】
次に、上記のように構成される空調ユニットA/Uの作用について説明する。
【００３３】
先ず、エアミックスドアユニット４０の組み付けについて説明する。
【００３４】
クリーンフィルタ２,エバポレータ３,エアミックスドア４,ヒータコア５,エアミックスチャンバー８,フロントベントドア９,デフドア１０,配風量調整ブレード１２および温度調整ブレード１３等を組み付けた空調ケース１の側壁１ａの開口２０からエアミックスドアユニット４０を挿入する。この挿入により、空調ケース１のガイドリブ２１,２２にエアミックスドアユニット４０のハウジング４１の上部と下部とが図４に示すように係合する。そして、このエアミックスドアユニット４０を装着位置まで押し込んで装着する。
【００３５】
この押し込みの際、空調ケース１のガイドリブ２１,２２にハウジング４１の上部と下部とが係合していることにより、エアミックスドアユニット４０がガイドリブ２１,２２に沿って装着位置までスムーズに移動される。
【００３６】
このため、エアミックスドアユニット４０の装着作業を簡単に行うことができる。
【００３７】
このエアミックスドアユニット４０の装着の後、開口２０を蓋部材３５（図２参照）により閉塞してこの蓋ケース３５をネジなどより固定し、空調ユニットA/Uの組付けが終了する。
【００３８】
空調ユニットA/Uの動作中、エバポレータ３の近傍にエアミックスドアユニット４０のエアミックスドア４,４があることにより、エバポレータ３による冷風によってエアミックスドア４,４の裏面に結露が生じ、この結露による水滴が空調ケース１のガイドリブ２２の凹部２２ａに溜まる。
【００３９】
このガイドリブ２２の凹部２２ａに溜まった水はガイドリブ２２が傾斜していることにより、ガイドリブ２２上を切欠２２Ａに向かって流れていき、この切欠２２Ａから落下してドレイン穴１９から排出される。このため、ガイドリブ２２の凹部２２ａに水が溜まることによって悪臭が発生してしまうことが未然に防止される。
【００４０】
上記実施例では、ガイドリブ２２に切欠２２Ａを設けているが、これに限らず穴を設けてもよい。
【図面の簡単な説明】
【００４１】
【図１】この発明に係る空調ユニットの構成を示した概略断面図である。
【図２】図１に示す空調ユニットの一部を示した部分斜視図である。
【図３】図１に示す空調ユニットの空調ケースのガイドリブを示した縦断面図である。
【図４】空調ユニットが空調ケースのガイドリブに装着されている状態を示した説明図である。
【図５】エアミックスドアユニットを示した正面図である。
【符号の説明】
【００４２】
１              空調ケース
１ａ            側壁
３              エバポレータ（冷却用熱交換器）
４              エアミックスドア
５              ヒータコア（加熱用熱交換器）
６              冷風バイパス通路（冷風通路）
７              温風通路
２０            開口
２２            ガイドリブ
２２ａ          凹部
２２Ａ          切欠
４１            ハウジング
【図１】
2008105621.tif 000003
【図２】
2008105621.tif 000004
【図３】
2008105621.tif 000005
【図４】
2008105621.tif 000006
【図５】
2008105621.tif 000007